(57)【特許請求の範囲】
【請求項１】
温水循環路の途中に接続されて、該温水循環路を流通する温水を加熱する熱源機と、
前記温水循環路の途中に接続されて、前記温水循環路を流通する温水からの放熱により暖房を行う暖房端末と、
前記温水循環路内の温水を循環させる循環ポンプと、
前記温水循環路から前記暖房端末に供給される温水の温度を検出する往き温度センサと、
前記循環ポンプを作動させた状態で、前記往き温度センサの検出温度が所定の目標温水温度となるように前記熱源機による加熱量を制御する比例制御と、該比例制御により前記熱源機による加熱量を所定の下限加熱量まで減少させても、前記往き温度センサの検出温度が前記目標温水温度を超えるときに、前記往き温度センサが前記目標温水温度よりも高い加熱停止温度以上になったときに前記熱源機による加熱を停止し、その後に前記往き温度センサの検出温度が前記目標温水温度よりも低い加熱再開温度以下になったときに前記熱源機による加熱を再開する処理を繰り返すＯＮ−ＯＦＦ制御とを実行して、暖房運転を行なう暖房制御部と、
前記ＯＮ−ＯＦＦ制御による暖房運転が行なわれているときに、前記熱源機による加熱が開始された時点から該加熱が停止して次に前記熱源機による加熱が再開されるまでの時間であるＯＮ−ＯＦＦサイクル時間を測定するサイクル時間測定部と、
前記サイクル時間測定部により測定された前記ＯＮ−ＯＦＦサイクル時間が、第１所定時間以上であるときに、前記加熱再開温度を該測定時の前記加熱再開温度よりも高い温度に変更する加熱再開温度変更部と
を備えたことを特徴とする温水暖房システム。
【請求項２】
温水循環路の途中に接続されて、該温水循環路を流通する温水を加熱する熱源機と、
前記温水循環路の途中に接続されて、前記温水循環路を流通する温水からの放熱により暖房を行う暖房端末と、
前記温水循環路内の温水を循環させる循環ポンプと、
前記温水循環路から前記暖房端末に供給される温水の温度を検出する往き温度センサと、
前記循環ポンプを作動させた状態で、前記往き温度センサの検出温度が所定の目標温水温度となるように前記熱源機による加熱量を制御する比例制御と、該比例制御により前記熱源機による加熱量を所定の下限加熱量まで減少させても、前記往き温度センサの検出温度が前記目標温水温度を超えるときに、前記往き温度センサが前記目標温水温度よりも高い加熱停止温度以上になったときに前記熱源機による加熱を停止し、その後に前記往き温度センサの検出温度が前記目標温水温度よりも低い加熱再開温度以下になったときに前記熱源機による加熱を再開する処理を繰り返すＯＮ−ＯＦＦ制御とを実行して、暖房運転を行なう暖房制御部と、
前記ＯＮ−ＯＦＦ制御による暖房運転が行なわれているときに、前記熱源機による加熱が開始された時点から該加熱が停止するまでの時間であるＯＮサイクル時間、又は前記熱源機による加熱が停止した時点から該加熱が再開されるまでの時間であるＯＦＦサイクル時間を測定するサイクル時間測定部と、
前記サイクル時間測定部により測定された前記ＯＮサイクル時間が第２所定時間以上であるとき、又は前記サイクル時間測定部により測定された前記ＯＦＦサイクル時間が第３所定時間以上であるときに、前記加熱再開温度を該測定時の前記加熱再開温度よりも高い温度に変更する加熱再開温度変更部と
を備えたことを特徴とする温水暖房システム。
【発明の詳細な説明】
【技術分野】
【０００１】
本発明は、熱源機により加熱した温水を暖房端末に循環供給する温水暖房システムに関する。
【背景技術】
【０００２】
従来より、熱源機により加熱した温水を温水循環路を介して暖房端末に供給することによって、暖房端末から放熱をするようにした温水暖房システムが知られている（例えば、特許文献１参照）。
【０００３】
特許文献１に記載された温水暖房システムでは、温水循環路から暖房端末に供給される温水の温度（往き温度）が目標温度（８０℃）となるように、熱源機での加熱量（バーナの燃焼量）を制御する比例燃焼制御を行っている。また、比例燃焼制御による対応では往き温度が上限温度（消火温度）を超える状況となる場合には、バーナの燃焼を停止し、往き温度が下限温度（点火温度）にまで低下すれば、燃焼を再開するというＯＮ−ＯＦＦ燃焼制御を行っている。
【０００４】
そして、特許文献１に記載された温水暖房システムにおいては、通常比例制御モードによる燃焼量の制御範囲（最小燃焼量Ｐｍｉｎ〜最大燃焼量Ｐｍａｘ）に加えて、通常比例制御モードよりも、最小側をより低い側に拡張させた燃焼量の制御範囲（拡張最小燃焼量Ｐｓ〜最大燃焼量Ｐｍａｘ）でバーナを比例燃焼させる拡張比例制御モードが採用されている。
【０００５】
通常比例制御モードから拡張比例制御モードへの切換えは、ＯＮ−ＯＦＦ燃焼サイクル時間が設定切換時間以下になったときに行われ、この切換えによってＯＮ−ＯＦＦ制御によるバーナの燃焼と消火の切り替えの頻度の増大を防止している。
【先行技術文献】
【特許文献】
【０００６】
【特許文献１】特開２００６−３８３９０号公報
【発明の概要】
【発明が解決しようとする課題】
【０００７】
特許文献１に記載された温水暖房システムにおいては、暖房端末の暖房負荷が低いときに比例制御からＯＮ−ＯＦＦ制御に切替えられる。そして、ＯＮ−ＯＦＦ制御においてバーナが消火されると、熱源機から暖房端末に供給される温水の温度が点火温度まで低下してバーナの燃焼が再開されるまでに、ある程度の時間が経過する。
【０００８】
そして、この場合には、熱源機から暖房端末に供給される温水の温度が低下して、暖房端末からの放熱量が減少した状態が続くことによって、例えば暖房端末が温風暖房機であるときには、使用者が冷風感による寒さを体感するおそれがある。また、ＯＮ−ＯＦＦ制御により、熱源機の作動と停止を頻繁に切り替えることは、熱源機の構成部品（バーナへの燃料ガスの供給と停止を切り替える電磁弁等）の耐久性を考慮すると、好ましくない。
【０００９】
本発明はかかる背景に鑑みてなされたものであり、熱源機のＯＮ−ＯＦＦ制御により温水の加熱が停止している間に使用者が寒さを体感することを、熱源機の作動と停止の頻繁な切り替わりを制限しつつ、防止することができる温水暖房システムを提供することを目的とする。
【課題を解決するための手段】
【００１０】
本発明は上記目的を達成するためになされたものであり、本発明の温水暖房システムは、
温水循環路の途中に接続されて、該温水循環路を流通する温水を加熱する熱源機と、
前記温水循環路の途中に接続されて、前記温水循環路を流通する温水からの放熱により暖房を行う暖房端末と、
前記温水循環路内の温水を循環させる循環ポンプと、
前記温水循環路から前記暖房端末に供給される温水の温度を検出する往き温度センサと、
前記循環ポンプを作動させた状態で、前記往き温度センサの検出温度が所定の目標温水温度となるように前記熱源機による加熱量を制御する比例制御と、該比例制御により前記熱源機による加熱量を所定の下限加熱量まで減少させても、前記往き温度センサの検出温度が前記目標温水温度を超えるときに、前記往き温度センサが前記目標温水温度よりも高い加熱停止温度以上になったときに前記熱源機による加熱を停止し、その後に前記往き温度センサの検出温度が前記目標温水温度よりも低い加熱再開温度以下になったときに前記熱源機による加熱を再開する処理を繰り返すＯＮ−ＯＦＦ制御とを実行して、暖房運転を行なう暖房制御部と、
を備えている。
【００１１】
そして、本発明の温水暖房システムの第１の態様は、
前記ＯＮ−ＯＦＦ制御による暖房運転が行なわれているときに、前記熱源機による加熱が開始された時点から該加熱が停止して次に前記熱源機による加熱が再開されるまでの時間であるＯＮ−ＯＦＦサイクル時間を測定するサイクル時間測定部と、
前記サイクル時間測定部により測定された前記ＯＮ−ＯＦＦサイクル時間が、第１所定時間以上であるときに、前記加熱再開温度を該測定時の前記加熱再開温度よりも高い温度に変更する加熱再開温度変更部と
を備えたことを特徴とする。
【００１２】
かかる本発明によれば、前記暖房制御部によって前記ＯＮ−ＯＦＦ制御による暖房運転が行なわれているときに、前記サイクル時間測定部により、前記ＯＮ−ＯＦＦサイクル時間が測定される。そして、前記ＯＮ−ＯＦＦサイクル時間が前記第１所定時間以上であるときには、前記熱源機による温水の加熱が停止したときに、前記暖房端末に供給される温水の温度が低下した状態が続くことにより、使用者が寒さを体感するおそれがある。また、前記ＯＮ−ＯＦＦ制御により、前記熱源機の作動と停止を頻繁に切り替えることは、前記熱源機の構成部品の耐久性を考慮すると好ましくない。
【００１３】
そこで、前記加熱再開温度変更部は、前記ＯＮ−ＯＦＦサイクル時間が前記第１所定時間以上であったときには、前記加熱再開温度を前記ＯＮ−ＯＦＦサイクル時間の測定時の前記加熱再開温度よりも高い温度に変更する。これにより、前記熱源機による加熱が再開されるまでの時間が短縮されて、前記熱源機による温水の加熱が停止した状態が継続する時間が短くなる。そのため、前記暖房端末に供給される温水の温度が低下した状態が続くことにより、使用者が寒さを体感することを防止することができる。
【００１４】
また、前記加熱再開温度変更部による前記加熱再開温度の変更は、前記ＯＮ−ＯＦＦサイクル時間が前記第１所定時間以上であるときに限定して行われる。そのため、前記ＯＮ−ＯＦＦサイクル時間が短時間であるときに、前記加熱再開温度が高く変更されて、前記熱源機の作動と停止が切り替わる頻度が高くなることを制限することができる。
【００１５】
次に、本発明の温水暖房システムの第２の態様は、
前記ＯＮ−ＯＦＦ制御による暖房運転が行なわれているときに、前記熱源機による加熱が開始された時点から該加熱が停止するまでの時間であるＯＮサイクル時間、又は前記熱源機による加熱が停止した時点から該加熱が再開されるまでの時間であるＯＦＦサイクル時間を測定するサイクル時間測定部と、
前記サイクル時間測定部により測定された前記ＯＮサイクル時間が第２所定時間以上であるとき、又は前記サイクル時間測定部により測定された前記ＯＦＦサイクル時間が第３所定時間以上であるときに、前記加熱再開温度を該測定時の前記加熱再開温度よりも高い温度に変更する加熱再開温度変更部と
を備えたことを特徴とする。
【００１６】
かかる本発明によれば、前記暖房制御部によって前記ＯＮ−ＯＦＦ制御による暖房運転が行なわれているときに、前記サイクル時間測定部により、前記ＯＮサイクル時間又は前記ＯＦＦサイクル時間が測定される。そして、前記ＯＮサイクル時間が前記第２所定時間以上であるとき、又は前記ＯＦＦサイクル時間が前記第３所定時間以上であるときには、前記熱源機による温水の加熱が停止したときに、前記暖房端末に供給される温水の温度が低下した状態が続くことにより、使用者が寒さを体感するおそれがある。また、前記ＯＮ−ＯＦＦ制御により、前記熱源機の作動と停止を頻繁に切り替えることは、前記熱源機の構成部分の耐久性を考慮すると好ましくない。
【００１７】
そこで、前記加熱再開温度変更部は、前記ＯＮサイクル時間が前記第２所定時間以上であったとき、又は前記ＯＦＦサイクル時間が前記第３所定時間以上であったときには、前記加熱再開温度を前記ＯＮサイクル時間又は前記ＯＦＦサイクル時間の測定時の前記加熱再開温度よりも高い温度に変更する。これにより、前記熱源機による加熱が再開されるまでの時間が短縮されて、前記熱源機による温水の加熱が停止した状態が継続する時間が短くなる。そのため、前記暖房端末に供給される温水の温度が低下した状態が続くことにより、使用者が寒さを体感することを防止することができる。
【００１８】
また、前記加熱再開温度変更部による前記加熱再開温度の変更は、前記ＯＮサイクル時間が前記第２所定時間以上であるとき、又は前記ＯＦＦサイクル時間が前記第３所定時間以上であるときに限定して行われる。そのため、前記ＯＮサイクル時間又は前記ＯＦＦサイクル時間が短時間であるときに、前記加熱再開温度が高く変更されて、前記熱源機の作動と停止が切り替わる頻度が高くなることを制限することができる。
【図面の簡単な説明】
【００１９】
【図１】温水暖房システムの構成図。
【図２】温水暖房システムの作動フローチャート。
【図３】ＯＮ−ＯＦＦ制御の説明図。
【発明を実施するための形態】
【００２０】
本発明の実施形態の一例について、図１〜図３を参照して説明する。図１は、本実施形態の温水暖房システムの全体構成図であり、本実施形態の温水暖房システムは、屋外に設置された熱源機１と、浴室に設置されて熱源機１と端末温水回路２を介して接続された温風暖房機３（本発明の暖房端末に相当する）と、熱源機１と端末温水回路２を介して接続された床暖房パネル４（本発明の暖房端末に相当する）とにより構成されている。
【００２１】
熱源機１には、接続部ａ，ｂ，ｃを介して端末温水回路２と接続された主温水回路１３、主温水回路１３の途中に設けられて主温水回路１３を流通する水を加熱する熱交換器１４、熱交換器１４を加熱するバーナ１５、主温水回路１３と端末温水回路２内の温水を循環させる循環ポンプ１６、主温水回路１３と端末温水回路２内の温水の膨張と収縮を吸収するシスターン１７、熱交換器１４から出湯される温水の温度を検出する暖房高温サーミスタ１８（本発明の往き温度センサに相当する）、熱交換器１４の上流側（入口側）と下流側（出口側）の主温水回路１３を連通するバイパス通路１９、及び循環ポンプ１６から送出される温水（熱交換器１４からバイパス通路１９を介して供給される温水と端末温水回路２から戻る温水とが混合された温水）の温度を検出する暖房低温サーミスタ２０（本発明の往き温度センサに相当する）が備えられている。
【００２２】
なお、端末温水回路２と、主温水回路１３と、バイパス通路１９とにより、本発明の温水循環路が構成されている。
【００２３】
さらに、熱源機１には、バーナ１５に燃焼用空気を供給する燃焼ファン２１、バーナ１５に燃料ガスを供給するガス供給管２２に設けられて、ガス供給管２２を開閉する元ガス電磁弁２３及びガス電磁弁２４、ガス供給管２２の開度を変更して燃料ガスの供給流量を調節するガス比例弁２５、熱源機１の全体的な作動を制御する熱源機コントローラ２６、及び熱源機１の内部の温度を検出する熱源機サーミスタ２８が備えられている。
【００２４】
熱源機コントローラ２６は、図示しないＣＰＵやメモリ等により構成された電子回路ユニットであり、メモリに保持された温水暖房システムの制御用プログラムをＣＰＵで実行することによって、熱源機１の作動を制御する機能を果す。熱源機コントローラ２６は、燃焼ファン２１の回転数とガス比例弁２５の開度を調節することによって、バーナ１５の燃焼量（熱源機１による温水の加熱量）を制御する。
【００２５】
また、端末温水回路２は、温風暖房機３に温水を供給する暖房高温温水回路３０と、床暖房パネル４に温水を供給する暖房低温温水回路３１とにより構成されている。暖房高温温水回路３０には、熱交換器１４から出湯される高温の温水がそのまま供給され、暖房低温温水回路３１には、端末温水回路２から戻る温水と熱交換器１４からバイパス通路１９を介して供給される温水とが混合された低温の温水が供給される。
【００２６】
そして、熱源機コントローラ２６は、温風暖房機３のみに温水を供給するときは、熱源熱動弁１１を閉弁して温風暖房機３の端末熱動弁４５を開弁した状態で循環ポンプ１６を作動させ、暖房高温サーミスタ１８の検出温度が第１目標温度（例えば８０℃、本発明の目標温水温度に相当する）となるようにバーナ１５の燃焼量を制御する。
【００２７】
また、温風暖房機３と床暖房パネル４の双方に温水を供給するときは、熱源機コントローラ２６は、熱源熱動弁１１と温風暖房機３の端末熱動弁４５の双方を開弁した状態で循環ポンプ１６を作動させ、暖房高温サーミスタ１８の検出温度が第１目標温度となるように、バーナ１５の燃焼量を制御する。
【００２８】
また、床暖房パネル４のみに温水を供給するときには、熱源機コントローラ２６は、熱源熱動弁１１を開弁して温風暖房機３の端末熱動弁４５を閉弁した状態で循環ポンプ１６を作動させ、暖房低温サーミスタ２０の検出温度が第２目標温度（例えば６０℃、本発明の目標温水温度に相当する）となるように、バーナ１５の燃焼量を制御する。
【００２９】
次に、温風暖房機３には、暖房熱交換器４１、温風ファン４２、温風暖房の開始／停止を指示するスイッチ等が設けられた温風暖房操作パネル４３、室温（温風ファン４２の作動により温風暖房機３内に吸入された室内の空気の温度）を検出する温風暖房サーミスタ４４、暖房高温温水回路３０を開閉して暖房熱交換器４１への温水の供給／停止を行う端末熱動弁４５、及び温風暖房機３の全体的な作動を制御する温風暖房コントローラ４６が備えられている。
【００３０】
温風暖房コントローラ４６は、図示しないＣＰＵやメモリ等により構成された電子回路ユニットであり、メモリに保持された温風暖房機３の制御用プログラムをＣＰＵで実行することによって、温風暖房機３の作動を制御する機能を果す。温風暖房コントローラ４６は、通信ケーブル４０を介して熱源機コントローラ２６と通信可能に接続されている。温風暖房コントローラ４６は、温風暖房操作パネル４３により温風暖房の開始が指示されたときに、端末熱動弁４５を開弁すると共に、熱源機コントローラ２６に対して暖房運転の開始を指示する信号を送信する。
【００３１】
これにより、熱源機１が作動を開始して熱源機１から温風暖房機３への温水供給が開始され、温風暖房コントローラ４６は、温風暖房サーミスタ４４の検出温度と温風暖房操作パネル４３により設定された目標室温との差が減少するように、温風ファン４２の回転数と端末熱動弁４５の開閉デューティを調節して、温風による浴室への放熱量を制御する。
【００３２】
また、熱源機コントローラ２６は、床暖房パネル４の近傍に設置された床暖房端末５０と通信ケーブル５１を介して通信可能に接続されている。床暖房端末５０には、床暖房の開始／停止を指示するスイッチ等が設けられた床暖房操作パネル５２、室温を検出する床暖房サーミスタ５３、及び床暖房パネル４への温水の供給量を制御する床暖房コントローラ５４が備えられている。
【００３３】
床暖房コントローラ５４は、図示しないＣＰＵやメモリ等により構成された電子回路ユニットであり、メモリに保持された床暖房パネル４の制御用プログラムをＣＰＵで実行することによって、床暖房パネル４による暖房を制御する機能を果す。
【００３４】
床暖房コントローラ５４は、床暖房操作パネル５２により床暖房の開始が指示されたときに、熱源機コントローラ２６に対して運転開始を指示する信号を送信する。これにより、熱源機１が作動を開始して、熱源機コントローラ２６は、熱源熱動弁１１を開弁すると共に、循環ポンプ１６を作動させる。
【００３５】
これにより、熱源機１から床暖房パネル４への温水の循環供給が開始される。熱源機コントローラ２６は、暖房低温サーミスタ２０の検出温度が第２目標温度（６０℃）となるように、バーナ１５の燃焼量を制御する比例制御を実行する。
【００３６】
また、熱源機コントローラ２６は、比例制御によりバーナ１５の燃焼量を最小（本発明の下限加熱量に相当する）にしても、暖房低温サーミスタ２０の検出温度が第２目標温度を超えるときには、暖房低温サーミスタ２０の検出温度が消火温度（第２目標温度よりも高い温度に設定、本発明の加熱停止温度に相当する）以上になったときにバーナ１５を消火し、その後、暖房低温サーミスタ２０の検出温度が点火温度（第２目標温度よりも低い温度に設定、本発明の加熱再開温度に相当する）以下になったときにバーナ１５に点火してバーナ１５の燃焼を再開する処理を繰り返す、ＯＮ−ＯＦＦ制御を実行する。
【００３７】
なお、このように、比例制御とＯＮ−ＯＦＦ制御によって、床暖房パネル４の暖房運転を行なう構成は、本発明の暖房制御部に相当する。
【００３８】
以下、図２に示したフローチャートに従って、熱源機コントローラ２６による比例制御及びＯＮ−ＯＦＦ制御の実行手順について説明する。
【００３９】
熱源機コントローラ２６は、床暖房コントローラ５４との通信により、床暖房操作パネル５２の暖房スイッチ（図示しない）がＯＮ操作（暖房開始操作）されたことを認識したときに、図２のフローチャートによる床暖房運転を開始する。
【００４０】
熱源機コントローラ２６は、ＳＴＥＰ１で、熱源熱動弁１１を開弁すると共に循環ポンプ１６を作動させる。これにより、主温水回路１３及び端末温水回路２の暖房低温温水回路３１内の温水が、熱源機１の熱交換器１４及び床暖房パネル４を経由して循環される状態となる。
【００４１】
続くＳＴＥＰ２で、熱源機コントローラ２６は、暖房低温サーミスタ２０の検出温度が点火温度以下であるか否かを判断する。そして、暖房低温サーミスタ２０の検出温度が点火温度以下であるときはＳＴＥＰ３に進み、暖房低温サーミスタ２０の検出温度が点火温度以下であるときにはＳＴＥＰ２の判断処理を繰り返す。
【００４２】
ＳＴＥＰ３で、熱源機コントローラ２６は、バーナ１５の点火処理を行い、続くＳＴＥＰ４で、前回のバーナ１５の消火が床暖房操作パネル５２の暖房スイッチの操作（暖房停止操作）によるものであるか否かを判断する。
【００４３】
そして、前回のバーナ１５の消火が暖房スイッチの操作によるものであるときはＳＴＥＰ６に進み、熱源機コントローラ２６は、比例制御によりバーナ１５の燃焼量を制御する。一方、前回のバーナ１５の消火が暖房スイッチの操作によるものでないとき（ＯＮ−ＯＦＦ制御による消火であるとき）には、ＳＴＥＰ５に進む。
【００４４】
ＳＴＥＰ５で、熱源機コントローラ２６は、前回のＯＮ−ＯＦＦ制御におけるＯＮ−ＯＦＦサイクル時間（バーナ１５の燃焼が開始された時点から、バーナ１５が消火されて次にバーナ１５の燃焼が再開されるまでの時間）が第１所定時間Ｔim1（例えば３分、ガス電磁弁２４等の部品の耐久性を考慮して決定される）以上であるか否かを判断する。
【００４５】
そして、ＯＮ−ＯＦＦサイクル時間が第１所定時間Ｔim1以上であるときはＳＴＥＰ１０に分岐し、ＯＮ−ＯＦＦサイクル時間が第１所定時間Ｔim1よりも短いときにはＳＴＥＰ６に進む。
【００４６】
ここで、第１所定時間Ｔim1は、バーナ１５の点火及び消火に伴って作動するガス電磁弁２４，元ガス電磁弁２３等の構成部品の作動回数（累積作動回数）が、熱源機１の使用期間内で耐用回数を超えることがないように、設定される。
【００４７】
ＳＴＥＰ１０で、熱源機コントローラ２６は、点火温度が点火温度上限値以下であるか否かを判断する。そして、点火温度が点火温度上限値以下であるときはＳＴＥＰ１１に進み、熱源機コントローラ２６は、点火温度を、ＯＮ−ＯＦＦサイクル時間の測定時に設定されていた点火温度よりもα℃（例えば１℃）高い温度に変更して、ＳＴＥＰ６に進む。一方、ＳＴＥＰ１０で現在の点火温度が点火温度上限値を超えたときには、ＳＴＥＰ６に分岐し、この場合は点火温度は変更されない。
【００４８】
なお、ＳＴＥＰ５で判断されるＯＮ−ＯＦＦサイクル時間を測定する構成は、本発明のサイクル時間測定部に相当する。また、ＳＴＥＰ１１により、点火温度をα℃上げる構成は、本発明の加熱再開温度変更部に相当する。
【００４９】
ＳＴＥＰ７で、熱源機コントローラ２６は、暖房低温サーミスタ２０の検出温度が消火温度以上であるか否かを判断する。そして、暖房低温サーミスタ２０の検出温度が消火温度以上であるときは、ＳＴＥＰ８に進んでバーナ１５を消火してＳＴＥＰ２に戻り、ＳＴＥＰ２以下の処理を再度実行する。一方、暖房低温サーミスタ２０の検出温度が消火温度よりも低ときにはＳＴＥＰ６に分岐し、熱源機コントローラ２６は、比例制御によるバーナ１５の燃焼を継続する。
【００５０】
熱源機コントローラ２６は、床暖房コントローラ５４との通信により、床暖房操作パネル５２の暖房スイッチがＯＦＦ操作（暖房停止操作）されたことを認識したときに、バーナ１５を消火すると共に、熱源熱動弁１１を閉弁し、循環ポンプ１６を停止して床暖房パネル４の暖房運転を終了する。
【００５１】
次に、図３（ａ），図３（ｂ）を参照して、ＯＮ−ＯＦＦ制御において、ＯＮ−ＯＦＦサイクル時間が第１所定時間Ｔim1以上であるときに点火温度を上げることによる効果について説明する。
【００５２】
図３（ａ）は、縦軸を暖房低温サーミスタ２０の検出温度Ｔg（以下、往き温度Ｔgという）及びバーナ１５のＯＮ（燃焼状態）・ＯＦＦ（消火状態）状態に設定し、横軸を時間（ｔ）に設定して、ＯＮ−ＯＦＦ制御実行中の往き温度Ｔgとバーナ１５のＯＮ／ＯＦＦ状態の変化を例示した説明図である。
【００５３】
図３（ａ）では、ｔ10，ｔ12，ｔ14の各時点で往き温度Ｔgが点火温度Ｔon1以下になってバーナ１５がＯＦＦ（消火状態）からＯＮ（燃焼状態）に切り替わり、ｔ11，ｔ13，ｔ15の各時点で往き温度Ｔgが消火温度Ｔoff以上になってバーナ１５がＯＮからＯＦＦに切り替わっている。
【００５４】
ここで、熱源機コントローラ２６は、バーナ１５が燃焼を開始した時点からバーナ１５が消火して次にバーナ１５が燃焼を開始するまでの時間（バーナ１５が燃焼を継続している時間Ｗon1（ＯＮサイクル時間）＋バーナ１５が燃焼を停止している時間Ｗoff1（ＯＦＦサイクル時間））である、ＯＮ−ＯＦＦサイクル時間を測定する。そして、ＯＮ−ＯＦＦサイクル時間が第１所定時間Ｔim1以上であるときは、点火温度を上げる。
【００５５】
なお、ＯＮ＋ＯＦＦサイクル時間に代えてＯＮサイクル時間又はＯＦＦサイクル時間を測定し、ＯＮサイクル時間が第２所定時間以上になったとき、又はＯＦＦサイクル時間が第３所定時間以上になったときに、点火温度を上げるようにしてもよい。この場合は、図２のＳＴＥＰ５において、前回のＯＮ−ＯＦＦ制御におけるＯＮサイクル時間が第２所定時間以上又はＯＦＦサイクル時間が第３所定時間以上であるか否かを判断し、ＯＮサイクル時間が第２所定時間以上又はＯＦＦサイクル時間が第３所定時間以上であるときはＳＴＥＰ１０に分岐し、ＯＮサイクル時間が第２所定時間よりも短く且つＯＦＦサイクル時間が第３所定時間よりも短いときにはＳＴＥＰ６に進むようにすればよい。
【００５６】
この場合、第２所定時間と第３所定時間は、第１所定時間と同様に、構成部品の耐用回数を考慮して決定される。また、ＯＮサイクル時間又はＯＦＦサイクル時間が第１所定時間以上であれば、ＯＮ−ＯＦＦサイクル時間は第１所定時間以上になる。
【００５７】
次に、図３（ｂ）は、図３（ａ）に対して点火温度をＴon1からＴon2へと高く変更してＯＮ−ＯＦＦ制御を行った場合の、往き温度Ｔgとバーナ１５のＯＮ／ＯＦＦの変化を例示した説明図である。
【００５８】
図３（ｂ）では、ｔ20，ｔ22，ｔ24の各時点で往き温度Ｔgが点火温度Ｔon2以下になってバーナ１５がＯＦＦ（消火状態）からＯＮ（燃焼状態）に切り替わり、ｔ21，ｔ23，ｔ25の各時点で往き温度Ｔgが消火温度Ｔoff以下になってバーナ１５がＯＮからＯＦＦに切り替わっている。
【００５９】
図３（ｂ）においては、点火温度をＴon1からＴon2に高めることによって、ＯＦＦサイクル時間Ｗoff2が図３（ａ）のＯＦＦサイクル時間Ｗoff1よりも短くなっている。そのため、長いＯＦＦサイクル時間の間、第２目標温水温度よりも低い温度の温水が床暖房パネル４に供給される状況が継続して、床暖房パネル４が設置された部屋にいる使用者が寒さを体感することを抑制することができる。
【００６０】
なお、本実施形態では、ガスバーナを用いた熱源機１示したが、石油等の他の燃料を燃焼させるバーナを用いた熱源機や、電気ヒータ等を加熱源とした熱源機を採用してもよい。
【００６１】
また、本実施形態では、床暖房パネル４の暖房運転をＯＮ−ＯＦＦ制御により行う例を示したが、温風暖房機３の暖房運転をＯＮ−ＯＦＦ制御により行なう場合にも、本発明の適用が可能である。
【符号の説明】
【００６２】
１…熱源機、２…端末温水回路、３…温風暖房機、４…床暖房パネル、１６…循環ポンプ、１８…暖房高温サーミスタ、２０…暖房低温サーミスタ、２６…熱源機コントローラ（暖房制御部、サイクル時間測定部、加熱再開温度変更部）、３０…暖房高温温水回路、３１…暖房低温温水回路、４６…温風暖房コントローラ、５０…床暖房端末、５４…床暖房コントローラ。
【図２】
0005851454.tif 000002
【図１】
0005851454.tif 000003
【図３】
0005851454.tif 000004